(57)【要約】【課題】光利用効率が高く、光記録媒体の記録・再生時のトラッキング補正精度を向上させることができる液晶光学素子とその製造方法、およびその素子を搭載した光ピックアップ装置を提供すること。【解決手段】内側表面に凹凸状の光学格子が形成された一方の透明基板と、他方の透明基板とで液晶を挟持する液晶光学素子において、凹凸状の光学格子における凸部形成領域には配向膜が形成されておらず、凹部の底面に配向膜が形成された構成とする。【選択図】図１
2010145813.tif 000002
【特許請求の範囲】
【請求項１】
内側表面に凹凸状の光学格子が形成された一方の透明基板と、他方の透明基板とで液晶を挟持する液晶光学素子において、
前記凹凸状の光学格子における凸部形成領域には配向膜が形成されておらず、凹部の底面に前記配向膜が形成されている
ことを特徴とする液晶光学素子。
【請求項２】
前記一方の透明基板と前記配向膜との間、および前記他方の透明基板と表面に、全面ベタの透明電極を有する
ことを特徴とする請求項１に記載の液晶光学素子。
【請求項３】
前記配向膜は、有機系樹脂からなる配向膜である
ことを特徴とする請求項１または２に記載の液晶光学素子。
【請求項４】
内側表面に凹凸状の光学格子が形成された一方の透明基板と、他方の透明基板とで液晶を挟持する液晶光学素子の製造方法において、
一方の透明基板の表面に、透明電極を形成した後に、配向膜を形成する工程と、
前記配向膜をパターニングする工程と、
前記パターニングすることにより形成された前記配向膜の隙間に、光学格子材料を配設する工程と、を有する
ことを特徴とする液晶光学素子の製造方法。
【請求項５】
前記光学格子材料を配設する工程を、スクリーン印刷により行う
ことを特徴とする請求項４に記載の液晶光学素子の製造方法。
【請求項６】
請求項１から３のいずれか一項に記載の液晶光学素子を、レーザ光源と対物レンズとの間の光路中に配した、
ことを特徴とする光ピックアップ装置。
【発明の詳細な説明】
【技術分野】
【０００１】
本発明は、トラックピッチの異なる光記録媒体への光学的な情報の記録・再生を行うための液晶光学素子とその製造方法、および、その液晶光学素子を用いた光ピックアップ装置に関する。
【背景技術】
【０００２】
現在、ＣＤからＤＶＤ、次世代の高密度光記録媒体であるブルーレイディスク（ＢＤ）へと光記録媒体の進化で記録内容の大容量化が進み、それに伴い記録ピット・ランドが極小化することにより、トラッキング補正に用いるトラック間隔も極小化している。
【０００３】
光ピックアップ装置は、レーザ光源から出射された所定の波長の光ビームを光記録媒体に集光し、この光記録媒体から反射する光ビームの大きさを受光素子で検出することで光記録媒体の情報を再生する装置として使われる。
【０００４】
この光ピックアップ装置のディスク読み取り方法の一つとして、３ビーム法が知られている。この３ビーム法によれば、レーザ光源から出射した光ビームを、回折格子を用いて３本の光ビーム（メインビームと一対のサブビーム）に分離させ、光記録媒体に対物レンズを用いて集光させることができる。これにより、光記録媒体表面には、メインビーム（０次光）を中心とした三点の光が照射されることとなり、このメインビームにより光記録媒体の情報を受光素子で読み取る。また、光記録媒体表面におけるトラックに照射されるサブビームの明暗を受光素子で検出することで、光記録媒体のトラッキング補正を行い、光記録媒体に記録されたデータの読み取りを行うことができるようになっている。
【０００５】
上述した光ピックアップ装置のディスク読み取り方法は、光記録媒体上の案内溝（トラック）を用いて行われる。光記録媒体であるＣＤとＤＶＤ、またはＢＤは、３ビーム法によりトラッキング補正を行う場合、夫々トラックピッチが異なることにより、最適な光ビームスポット間隔で、かつ最適なスポット角度で光記録媒体上に結像しなければならない。
【０００６】
そこで、液晶光学素子を用いて３ビーム法により光記録媒体のトラッキング補正を行えるようにした光ピックアップ装置が提案された（例えば、特許文献１参照のこと）。
【０００７】
［従来の液晶光学素子の説明：図６］
ここで、この従来の液晶光学素子の構成につき、図面を用いて詳細に説明する。図６は、従来の液晶光学素子の断面図である。
【０００８】
図６に示す様に、この従来の液晶光学素子６００は、前述した、レーザ光源から出射した光ビームを、回折格子を用いて３本の光ビーム（メインビームと一対のサブビーム）に分離させるための素子として機能するものであって、内側表面に断面が矩形状で、紙面に対して垂直方向にストライプ状に形成された光学格子１０４を有する第１の透明基板１０１ａと、第２の透明基板１０１ｂとで液晶１０６を挟持し、透明基板１０１ａと１０１ｂの周囲をシール剤１０５で封止した構造となっている。
【０００９】
第１の透明基板１０１ａの面上には、全面ベタの第１の透明電極１０２ａと、断面が矩形状の光学格子１０４と、第１の配向膜１０３ａとがそれぞれ形成されている。なお、この第１の配向膜１０３ａは、隣り合う光学格子１０４の全表面に渡って形成されている。
【００１０】
また、第１の透明基板１０１ａと対向する第２の透明基板１０１ｂの面上には、全面ベタの第２の透明電極１０２ｂと、第２の配向膜１０３ｂとが形成されている。
【００１１】
この第１の配向膜１０３ａと第２の配向膜１０３ｂは、ポリイミド等の有機膜を一様に塗布した後に、光学格子１０４のストライプ方向（紙面垂直方向）に沿ってラビング処理が施されて形成される。
【００１２】
【特許文献１】特開平９−２７４１８８号公報（第２−３頁、第１図）
【発明の開示】
【発明が解決しようとする課題】
【００１３】
［従来の液晶光学素子の問題点の説明：図７−８］
ここで、従来の液晶光学素子６００における問題点について図７−８を用いて説明する。図７、図８は、図６に示した従来の液晶光学素子６００の部分断面図であり、図７は液晶１０６に電圧を印加していない状態を示し、図８は、液晶１０６に電圧を印加している状態を示している。
【００１４】
特許文献１に記載の液晶光学素子６００は、前述したように、隣り合う光学格子１０４の全表面に第１の配向膜１０３ａが形成されているために、配向膜材料を凹部、凸部および凸部側面に対して一様な膜厚で形成しようとしても、実際には図７に示す様に、光学格子１０４の凸部コーナーの配向膜は薄く、凹部隅の配向膜は厚く、さらに凸部側面にも配向膜が形成されてしまう。つまり、従来の液晶光学素子６００では、光学格子１０４のエッジ部に面だれのあるなだらかな山形の配向膜形状となって、配向膜が一様な膜厚とはなっていない。
【００１５】
そして、この面ダレが起こった状態で配向膜表面を、コットン布等で擦る等のラビング処理を施すと、配向膜の凸部表面には目的の深さおよび幅のラビングスジを形成することができるものの、凹部側面および底面には目的のラビングスジを形成することができない。したがって、この従来の液晶光学素子６００では、液晶１０６に接する配向膜表面のラビング状態が不均一になるが、図７に示す状態では、液晶分子１０６ａは同じ方向に向く。ここでは、液晶光学素子６００における液晶部分と光学格子１０４部分との間が同じ屈折率となっているので、素子に入射する光ビームに対して何ら作用しない。
【００１６】
そこで、この従来の液晶光学素子６００における液晶に電圧を印加すると、図８に示す様に、隣り合う光学格子１０４の間の凹部底面の液晶分子１０６ｂは、印加した電場の方向に配列する。ところが、第１の配向膜１０３ａの、光学格子１０４の凸部、凹部、凸部側面のラビング状態が異なるため、液晶分子は印加した電場の方向に整然と配列することができず、近接する配向膜の影響を受けて、液晶分子１０６ｂ、１０６ｃ、１０６ｄのように異なる配向状態を示す。このため、液晶光学素子６００を透過する光ビームは、３ビームの方向（０次光と±１次光が出射される方向）とは異なる方向にも分散されることとなり、結果として光利用効率を低減させてしまう。この様な、確実な回折を行えない液晶光学素子６００を使用すると、光記録媒体を再生する際のトラッキング補正精度を低下させてしまうという課題があった。
【００１７】
なお、隣り合う光学格子１０４の間の凹部底面に目的のラビングスジを形成できる様に、ラビング処理の条件を設定したとしても、光学格子１０４の凸部、凹部、凸部側面のラビング状態が異なるため、液晶１０４の配向にムラが生じる結果は変わらない。
【００１８】
そこで、本発明による液晶光学素子は上記問題を解決し、光利用効率が高く、光記録媒体におけるトラッキング補正精度を向上させた液晶光学素子とその製造方法、およびその
液晶光学素子を用いた光ピックアップ装置を提供することを目的とする。
【課題を解決するための手段】
【００１９】
上記課題を解決するために、本発明による液晶光学素子とその製造方法および光ピックアップ装置は、基本的に下記記載の構成を有するものである。
【００２０】
本発明の液晶光学素子は、内側表面に凹凸状の光学格子が形成された一方の透明基板と、他方の透明基板とで液晶を挟持する液晶光学素子において、凹凸状の光学格子における凸部形成領域には配向膜が形成されておらず、凹部の底面に配向膜が形成されていることを特徴とするものである。
【００２１】
また、本発明の液晶光学素子は、一方の透明基板と配向膜との間、および他方の透明基板と表面に、全面ベタの透明電極を有することを特徴とするものである。
【００２２】
また、本発明の液晶光学素子は、配向膜が、有機系樹脂からなる配向膜であることを特徴とするものである。
【００２３】
また、本発明の液晶光学素子の製造方法は、内側表面に凹凸状の光学格子が形成された一方の透明基板と、他方の透明基板とで液晶を挟持する液晶光学素子の製造方法において、一方の透明基板の表面に、透明電極を形成した後に、配向膜を形成する工程と、配向膜をパターニングする工程と、パターニングすることにより形成された配向膜の隙間に、光学格子材料を配設する工程と、を有することを特徴とするものである。
【００２４】
また、本発明の液晶光学素子の製造方法は、光学格子材料を配設する工程を、スクリーン印刷により行うことを特徴とするものである。
【００２５】
また、本発明の光ピックアップ装置は、液晶光学素子を、レーザ光源と対物レンズとの間の光路中に配した、ことを特徴とするものである。
【発明の効果】
【００２６】
本発明の液晶光学素子によれば、液晶を挟持する透明基板の一方の内側表面に光学格子と配向膜を有する構成としても、その配向膜には目的の深さと幅のラビングスジが一様に形成されているので、電圧印加時の液晶分子は印加した電場の方向に整然と配列し、液晶を透過する回折光に乱れがなくなり、光利用効率を高くすることができる。そして、この液晶光学素子を光ピックアップ装置に搭載すれば、光記録媒体におけるトラッキング補正精度を向上させることができる。
【発明を実施するための最良の形態】
【００２７】
以下に、本発明の液晶光学素子の構成とその製造方法、およびこの液晶光学素子を搭載した光ピックアップ装置の構成および作用について、図面を用いて詳細に説明をする。
【実施例１】
【００２８】
［本実施例の液晶光学素子の構成の説明：図１］
まず、本実施例の液晶光学素子の構成について説明する。図１は、本実施例の液晶光学素子の構成を説明するための断面図である。
【００２９】
図１に示すように、液晶光学素子１００は、内側表面に凹凸状の光学格子が形成された第１の透明基板１ａと第２の透明基板１ｂとで、液晶６をシール剤５で封止して挟持した構成となっている。
【００３０】
第１の透明基板１ａの面上には、全面ベタの第１の透明電極２ａと、断面が矩形状の光学柱ｐ１、ｐ２、ｐ３を複数個、所定の間隔を空けて配設した凹凸状の光学格子４を有し、その光学格子４間の凹部底面にのみ、第１の配向膜３ａが形成されている。なお、光学柱ｐ１〜ｐ３は、図１の紙面と垂直方向に向けて、ストライプ状に配設されている。
【００３１】
また、第１の透明基板１ａと対向する第２の透明基板１ｂの面上には、従来の構成と同様に、全面ベタの第２の透明電極２ｂと第２の配向膜３ｂとが形成されている。
【００３２】
これら第１の配向膜３ａと第２の配向膜３ｂは、ポリイミド等の有機膜を一様に塗布した後に、ストライプ状に配した光学格子４の溝方向に沿って、ラビング処理が施されているものとする。
【００３３】
この様に、本実施例の液晶光学素子は、凹凸状の光学格子における凸部上面と、その凸部上面と対向する透明基板間に位置する液晶の屈折率を変動させる必要がないため、この凹部底面にのみ配向膜を設けている。また、光学格子の凸部側面にも配向膜を配していないのは、凹部底面にのみ確実にラビングスジが形成されていた方が、凹部底面と凸部側面での異なる配向状態の配向状態に比べて、明らかに均一な配向状態を形成することができるからである。この様に凹部底面にのみ配向膜を配すれば、目的の配向状態を形成するための配向状態を確実に作ることができ、光学格子に接する液晶の配向乱れが無くなる。
【００３４】
［本実施例の液晶光学素子の作用の説明：図２−３］
次に、本実施例の液晶光学素子１００における第１の配向膜３ａと第２の配向膜３ｂと、液晶分子の配向作用について説明する。図２、図３は、図１に示した液晶光学素子１００の部分断面図であり、図２は電圧を印加していない状態を示し、図３は、電圧を印加している状態を示している。
【００３５】
図２は、第１の透明電極２ａと第２の透明電極２ｂ間に電圧を印加していない状態であるから、全ての液晶分子６ａは、光学格子１０４の形成するストライプ方向、および同方向の第１と第２の配向膜３ａ、３ｂのラビング方向に沿って配列された状態となる。
【００３６】
また、図３は、第１の透明電極２ａと第２の透明電極２ｂ間に電圧を印加している状態であるから、全ての液晶分子は、印加した電場の方向に沿った配列状態を示す液晶分子６ｂとなる。従って、液晶光学素子１００を透過する第１の透明電極２ａ側から入射する光ビームは、光学格子４がある部分と、光学格子４がなく液晶分子６ｂを透過する部分との行路差から、回折光となって出射することとなる。
【００３７】
この様に、第１の透明電極２ａと第２の透明電極２ｂの間に印加する電圧を制御することで、全ての液晶分子は偏向方向が揃い、液晶光学素子１００を透過する回折光の分散が少なく、効率良く３本の光ビームに分離される。この結果、トラックピッチの異なる種類の光記録媒体に対して、効率よく最適な光ビームスポット間隔で、かつ最適なスポット角度で、光記録媒体に光ビームを結像することができる。
【００３８】
つまり、本実施例による液晶光学素子１００は、第１の透明基板１ａの内側表面に、凹凸状の光学格子４とその隣り合う光学格子４の間の凹部の底面にのみ、部分的に第１の配向膜３ａを形成しているので、従来の構成のような、第１、第２の透明基板１ａ、１ｂ間に挟持される液晶６のラビング状態が不均一となるという問題が生じることがなくなり、光学格子４間に位置する液晶６を、印加した電場の方向に整然と配列させることができる。
【００３９】
従って、この液晶光学素子１００は、光学格子４と液晶６間に所望の屈折率差を生じさ
せた回折格子とすることができ、素子に入射する光ビームが配向の乱れの影響を受けることなく、確実に３ビームに分離でき、かつ、印加電圧により回折効率を変えることでサブビームの強弱制御ができる。そして、その結果として、光利用効率が高くなり、ＳＮ特性に優れた液晶光学素子とすることができる。なお、この液晶光学素子１００を使えば、光記録媒体への書き込み、光記録媒体からの読み込み時のトラッキング補正の精度が向上することは、後段で詳細に説明する。
【００４０】
[液晶光学素子の製造方法の説明：図４]
次に、液晶光学素子１００の製造方法ついて説明する。図４は、液晶光学素子１００の製造工程を説明するための図面である。なお、図中の（ａ）〜（ｇ）は工程順を示す。
【００４１】
まず、図４（ａ）のラビング工程で、第１の透明基板１ａ上に、全面ベタの第１の透明電極２ａを形成した後に、第１の配向膜３ａを塗布する。続けて円筒状のコットン布８で、第１の配向膜３ａの表面を、後工程で形成される光学格子のストライプ方向に沿ってラビング処理をする。ここでは、第１の透明基板１ａとして例えばガラスを、第１の透明電極２ａとして例えばインジウムスズ酸化物を、第１の配向膜３ａとして例えばポリイミド等の有機配向材を用いることができる。
【００４２】
次に、図４（ｂ）のマスク形成工程で、ラビング処理を施した第１の配向膜３ａ上に、フォトリソグラフィー法でもって、後述の光学格子を形成するためのマスク７を、格子状にパターニング形成する。ここで使用するマスク７の素材は、例えば感光剤レジストである。
【００４３】
次に、図４（ｃ）のエッチング工程で、マスク７で覆われていない第１の配向膜３ａをエッチングで除去する。この第１の配向膜３ａはポリイミド等の有機配向材であるので、ドライアッシング等の手段で容易に除去することができる。
【００４４】
次に、図４（ｄ）のスキージ工程で、マスク７上に後述の光学格子の材料である透明樹脂４ａをスクリーン印刷法で塗布し、スキージへら１０によりマスク７の間隙を透明樹脂４ａで埋める。透明樹脂４ａは、例えばエポキシもしくはシリコン材料からなる光硬化性または熱硬化性樹脂で、屈折率調整のためフィラーを混入した材料を使用する場合がある。
【００４５】
次に、図４（ｅ）の樹脂の硬化工程で、前述の透明樹脂４ａを、加熱または光照射をすることで硬化する。
【００４６】
次に、図４（ｆ）のマスク除去工程で、レジスト剥離用の溶剤でマスク７を除去する。
【００４７】
以上の工程の結果、第１の透明電極２ａ上には断面が矩形状の複数の光学柱ｐ１、ｐ２、ｐ３を、間隔を空けて配設した透明樹脂からなるストライプ状の光学格子４が形成される。そして、この光学格子４を構成する光学柱ｐ１、ｐ２、ｐ３間の凹部底面の透明電極２ａ表面には、光学格子４のストライプ方向にラビング処理を施した第１の配向膜３ａが形成される。つまり、凹凸状光学格子４の凹部底面には配向膜が形成され、凸部頂部および凸部側面には配向膜が形成されていない光学格子４が形成される。
【００４８】
最後に、図４（ｇ）の液晶光学素子完成工程で、第２の透明電極２ｂと第２の配向膜３ｂを表面に配した第２の透明基板１ｂを用意し、内側表面に凹凸状の光学格子４が形成された第１の透明基板１ａと、この第２の透明基板１ｂを所定の間隙を空けてシール剤５で貼り合わせた後に、その間隙に液晶６を注入して封止する。
【００４９】
なお、第２の透明基板１ｂ側の第２の配向膜３ｂは、第１の透明基板１ａ側と同じ方向にラビング処理してあり、両基板間に注入された液晶６はホモジニアス配向となる。
【実施例２】
【００５０】
[光ピックアップ装置の構成および作用の説明：図５]
次に、実施例１で示した液晶光学素子を用いた光ピックアップ装置の構成と作用について説明する。図５は、本実施例における光ピックアップ装置の構成および作用を示す構成図面である。
【００５１】
図５に示す本発明による光ピックアップ装置２００は、所定の波長の光ビームを発振するレーザ光源１１、レーザ光源１１から出射された光ビームを平行光とするコリメートレンズ１２、実施例１で示した液晶光学素子１００、２つのプリズムの間に偏光分離膜１４ａを挟持した偏光ビームスプリッタ１４、直線偏光成分の光ビームを円偏光成分の光ビームに変換するλ／４板１５、λ／４板１５で円偏光となった光ビームを記録媒体１９に集光させる対物レンズ１６、この駆動コイルを動作させる駆動コイル１６ａを有する。また、本装置は、集光レンズ１７、および記録媒体１９からの反射光が集光レンズ１７によって導かれる受光素子１８を更に有して構成される。
【００５２】
次に、光ピックアップ装置２００の光記録媒体１９への情報書き込みをする場合の作用について図５を用いて説明する。
【００５３】
光ピックアップ装置２００は、レーザ光源１１から出射される往路光ビームｒ１が、コリメートレンズ１２で平行光に変換され、液晶光学素子１００に入射する。
【００５４】
このときの液晶光学素子１００は、図１および図２に基づき説明したように、第１の透明電極２ａと第２の透明電極２ｂ間に電圧が印加されていないので、液晶６と光学格子４との屈折率は同じとなっている。このため、レーザ光源１１からの往路光ビームｒ１は、液晶光学素子１００を通過しても回折することなく、そのまま偏光ビームスプリッタ１４を通過し、λ／４板１５で円偏光に変えられる。λ／４板１５を通過した往路光ビームｒ１は、対物レンズ１６で光記録媒体１９に集光し、書き込みデータに対応した書き込みを光記録媒体１９に行う。
【００５５】
次に、光ピックアップ装置２００の光記録媒体１９からの情報再生する場合の作用について説明する。
【００５６】
図５に示すように、光ピックアップ装置２００は、レーザ光源１１から出射される往路光ビームｒ１が、コリメートレンズ１２で平行光に変換され、液晶光学素子１００に入射する。
【００５７】
このときの液晶光学素子１００は、図１および図３に基づき説明したように、第１の透明電極２ａと第２の透明電極２ｂ間に電圧が印加されるので、液晶と光学格子との間に屈折率差が生じ、回折格子として作用する。このため、レーザ光源１１からの往路光ビームｒ１は、隣り合う光学格子間の凹部に存在する液晶６ｂを透過する偏光成分と光学格子をそのまま通過する透過光とによって、メインビームと２つのサブビームからなる３ビームに分離される。この３ビームの往路光ビームｒ１は、偏光ビームスプリッタ１４を透過し、λ／４板１５で円偏光に変えられて、対物レンズ１６で３ビームのスポット光を光記録媒体１９に集光させる。
【００５８】
そして、光記録媒体１９で反射した復路光ビームｒ２は、再び対物レンズ１６を透過し、λ／４板１５で再び円偏光から往路光ビームｒ１と直交する直線偏光成分に変えられて
、偏光ビームスプリッタ１４の偏光分離膜１４ａで光路が変えられて、集光レンズ１７を経て受光素子１８に入射する。
【００５９】
受光素子１８では、復路光ビームｒ２は、２つのサブビームから光記録媒体１９のトラック位置を検出し、駆動コイル１６ａへフィードバックして、光記録媒体１９の読み取りトラックのトラッキング補正を行うとともに、復路光ビームｒ２のメインビームで、記光録媒体１９に記録されたデータの読み取りを行う。
【００６０】
なお、本発明の実施例では、光記録媒体１９への入射光と反射光が一直線上にあり、偏光ビームスプリッタ１４とレーザ光源１１の間に液晶光学素子１００を配置した例を示したが、往路光ビームｒ１を斜めから光記録媒体１９に照射し、反射角が異なる復路光ビームを検出する、偏光ビームスプリッタを不要とした構成にも、本発明を適用することもできる。
【００６１】
以上に説明したように、実施例１で示した液晶光学素子１００は、従来の構成で問題となっていた配向膜の面だれや、配向面で起こっていた配向乱れが発生することがない。また、この液晶光学素子１００は、電圧印加時の液晶が印加した電場の方向に整然と配列するため、確実に所望の回折効率を得ることができる。従って、液晶光学素子１００は、光利用効率を高くでき、この液晶光学素子１００を適用した光ピックアップ装置２００は、光記録媒体１９におけるトラッキング補正精度が向上する。
【図面の簡単な説明】
【００６２】
【図１】本発明の液晶光学素子の構成を示す断面図である。
【図２】液晶に電圧を印加していないときの、本発明の液晶光学素子の作用を示す部分断面図である。
【図３】液晶に電圧を印加しているときの、本発明の液晶光学素子の作用を示す部分断面図である。
【図４】本発明の液晶光学素子の製造工程を示す図面である。
【図５】本発明の光ピックアップ装置の構成および作用を示す構成図である。
【図６】従来の液晶光学素子の構成を示す断面図である。
【図７】液晶に電圧を印加していないときの、従来の液晶光学素子の作用を示す部分断面図である。
【図８】液晶に電圧を印加しているときの、従来の液晶光学素子の作用を示す部分断面図である。
【符号の説明】
【００６３】
１ａ  第１の透明基板
１ｂ  第２の透明基板
２ａ  第１の透明電極
２ｂ  第２の透明電極
３ａ  第１の配向膜
３ｂ  第２の配向膜
４  光学格子
４ａ  透明樹脂
５  シール剤
６  液晶
６ａ、６ｂ  液晶分子
７  マスク
８  コットン布
１０  スキージへら
１１  レーザ光源
１２  コリメートレンズ
１４  偏光ビームスプリッタ
１４ａ  偏光分離膜
１５  λ／４板
１６ａ  駆動コイル
１６  対物レンズ
１７  集光レンズ
１８  受光素子
１９  光記録媒体
１００  液晶光学素子
２００  光ピックアップ装置
【図１】
2010145813.tif 000003
【図２】
2010145813.tif 000004
【図３】
2010145813.tif 000005
【図４】
2010145813.tif 000006
【図５】
2010145813.tif 000007
【図６】
2010145813.tif 000008
【図７】
2010145813.tif 000009
【図８】
2010145813.tif 000010